(57)【要約】【課題】  身体をゆっくりと芯から温めて新陳代謝を高めるとともに、アポクリン汗腺からの発汗を促すことにより、体内に蓄積された有害微量金属の排出効果も高めることができる温熱浴用ユニットを提供する。【解決手段】  床部１と、壁部２とで構成され、部屋Ｈの中に温熱浴設備を構築するための温熱浴用ユニットＵである。床部１は、部屋Ｈの床面に設置する断熱材１ａと、利用者が横たわって温熱浴を行う表層部１ｂと、表層部１ｂを所要の温度に温める温熱層１ｃとで構成され、壁部２は、部屋Ｈの壁面に取付ける断熱材２ａと、断熱材２ａの表面の全部又は一部に取付ける温熱層２ｂと、温熱層２ｂの表面に取付ける複数の板状のパネル２ｃで構成される。表層部１ｂの表面側には、低線量放射線とマイナスイオンを放出する放射性鉱物の粉末を含有させたタイルを敷設する。【選択図】  図１
0003121542.tif 000002
【実用新案登録請求の範囲】
【請求項１】
床部と、壁部とで構成され、部屋の中に温熱浴設備を構築するための温熱浴用ユニットであって、
前記床部は、前記部屋の床面に設置する断熱材と、この断熱材の上方に設けられ、利用者が横たわって温熱浴を行う表層部と、この表層部と前記断熱材の間に設置され、前記表層部を所要の温度に温める温熱層と、を備えるとともに、
前記壁部は、前記部屋の壁面に取付ける断熱材と、この断熱材の表面の全部又は一部に取付ける温熱層と、この温熱層の表面に取付ける複数の板状のパネルと、を備え、
前記表層部の表面側に、低線量放射線とマイナスイオンを放出する放射性鉱物の粉末を含有させたタイルを敷設したことを特徴とする温熱浴用ユニット。
【請求項２】
前記表層部の表面側に、前記タイルに換えて、あるいは、前記タイルと共に、低線量放射線とマイナスイオンを放出する機能性天然石の１種又は２種以上を含む板状の石材を露出させたことを特徴とする請求項１記載の温熱浴用ユニット。
【請求項３】
前記パネルとして、抗菌剤を含有させたカラー鋼板を用いたことを特徴とする請求項１又は２記載の温熱浴用ユニット。
【請求項４】
前記温熱層に用いるヒーターとして、２枚の絶縁防水保護層の間に、均熱板と、電極箔を挟み込んだ構成の面状発熱体を用いたことを特徴とする請求項１〜３の何れかに記載の温熱浴用ユニット。
【請求項５】
前記部屋の壁面のうち前記パネルを設けない部位と、前記部屋の天井面に、珪藻土塗料を塗装したことを特徴とする請求項１〜４の何れかに記載の温熱浴用ユニット。
【考案の詳細な説明】
【技術分野】
【０００１】
本考案は、部屋の中に容易に温熱浴の設備を構築することができる温熱浴用ユニットに関するものである。
【背景技術】
【０００２】
一般に、４０〜４２℃位に温めた岩盤の上にタオルなどを敷き、その上に浴衣のまま横になって温熱効果を得る温熱浴が利用されている。例えば、秋田県北部の八幡平国立公園の一角にある玉川温泉には、大地から発生する自然熱を利用した温熱浴の浴場がある。
【０００３】
この温熱浴は、浴槽に溜めた湯の中につかる通常の入浴やサウナよりも、体の新陳代謝を高める効果があると言われている。そこで、従来より、上記のような自然の温熱浴以外に、人工的に作られた温熱浴も利用されている。
【０００４】
その一例として、例えば、図５に示すように、ヒーターを備えたベッド１０１の上に、天然石又はセラミックボール１０２を敷き、その上に利用者が横たわって温熱浴を行うベッドＢ１が利用されている。
【０００５】
また、例えば、図６に示すような、室内に、図５のような構成のベッドＢ２を複数設置した業務用の温熱浴システムも利用されている。また、例えば、特開２００４−１３００４７号公報には、気密性・断熱性の高い部屋に、床暖房システムを設置し、その上にトルマリン鉱石等を珪砂入りモルタル等で固めた平坦な岩盤を取り付けた構成のベッドが開示されている。
【０００６】
ところで、昨今では、添加物や防腐剤を使用した食品が多く、また、住環境においても消毒薬、抗菌剤、化粧品などに接触する機会が多いため、有害な環境ホルモンや、砒素（Ａｓ）、水銀（Ｈｇ）、カドミウム（Ｃｄ）、鉛（Ｐｂ）などの毒性の強い微量金属を、知らないうちに体内に蓄積してしまうことがある。これらは、「なんとなく体がだるい」といった原因不明の症状や、アレルギー症状となって表れるが、体内に取り込んでしまった化学物質や有害微量金属を、いかにして対外に排出するかが問題となっている。
【０００７】
その点、発汗は、尿や便による排出とともに、体内の有害物質を排出する重要な働きを担っている。例えば、神経障害や造血機能障害、糖尿病、感染症などを引き起こす有毒微量金属である鉛（Ｐｂ）については、尿や便よりも、汗によって排出される割合の方が高いことが確認されている。
【０００８】
しかし、ここで重要なことは、汗による有害物質の排出効果は、汗のかき方によって、大きく変わるという点である。すなわち、さらに詳しい分析によると、環境ホルモンや、砒素（Ａｓ）、水銀（Ｈｇ）、カドミウム（Ｃｄ）、鉛（Ｐｂ）などの有害微量金属は、体内の水には溶けておらず、体内脂肪の方に溶け込んでいるため、これらの有害物質の排出のためには、皮膚表層部に存在するエックリン汗腺（eccrine sweat gland ）からの発汗は有効でなく、皮膚深層部に存在し、体内脂肪の成分を多く含んでいるアポクリン汗腺（apocrine sweat gland）からの発汗が、極めて有効であることが確認されている。
【考案の開示】
【考案が解決しようとする課題】
【０００９】
ところが、上記した従来の温熱浴システムは、通常の湯につかる風呂やサウナと比較すると、新陳代謝を高める効果が得られるものの、いまだエックリン汗腺からの発汗の割合も高いため、有害物資の排出効果を考えたときは、必ずしも十分な効果が得られていないという問題があった。
【００１０】
本考案は、かかる従来の問題点を解決するためになされたものであって、身体をゆっくりと芯から温めて新陳代謝を高めるとともに、アポクリン汗腺からの発汗を促すことにより、体内に蓄積された有害微量金属の排出効果も高めることができる温熱浴用ユニットを提供することを目的としている。
【課題を解決するための手段】
【００１１】
上記の目的を達成するために、本考案の温熱浴用ユニットは、
床部と、壁部とで構成され、部屋の中に温熱浴設備を構築するための温熱浴用ユニットであって、
前記床部は、前記部屋の床面に設置する断熱材と、この断熱材の上方に設けられ、利用者が横たわって温熱浴を行う表層部と、この表層部と前記断熱材の間に設置され、前記表層部を所要の温度に温める温熱層と、を備えるとともに、
前記壁部は、前記部屋の壁面に取付ける断熱材と、この断熱材の表面の全部又は一部に取付ける温熱層と、この温熱層の表面に取付ける複数の板状のパネルと、を備え、
前記表層部の表面側に、低線量放射線とマイナスイオンを放出する放射性鉱物の粉末を含有させたタイルを敷設したことを最も主要な特徴とする。
【考案の効果】
【００１２】
本考案によれば、床部だけでなく、壁部にも温熱層を設けたため、部屋全体を均一に温めることにより、ゆっくりと身体を芯から温めて、新陳代謝を高めることができる上、表層部の表面側に、低線量放射線とマイナスイオンを放出する放射性鉱物の粉末を含有させたタイルを敷設したので、アポクリン汗腺からの発汗が促され、体内に蓄積された有害微量金属の排出効果も高めることができる。
【考案を実施するための最良の形態】
【００１３】
本考案の温熱浴用ユニットは、
床部と、壁部とで構成され、部屋の中に温熱浴設備を構築するための温熱浴用ユニットであって、
前記床部は、前記部屋の床面に設置する断熱材と、この断熱材の上方に設けられ、利用者が横たわって温熱浴を行う表層部と、この表層部と前記断熱材の間に設置され、前記表層部を所要の温度に温める温熱層と、を備えるとともに、
前記壁部は、前記部屋の壁面に取付ける断熱材と、この断熱材の表面の全部又は一部に取付ける温熱層と、この温熱層の表面に取付ける複数の板状のパネルと、を備え、
前記表層部の表面側に、低線量放射線とマイナスイオンを放出する放射性鉱物の粉末を含有させたタイルを敷設した構成である（本考案の第１の構成）。
【００１４】
一般に、低線量の放射線は、人の免疫機能などを活性化し、自然治癒力、新陳代謝を高めて健康増進に効果があるといわれている。すなわち、高線量の放射線が人体に悪影響を及ぼすことは周知の通りであるが、例えば、ラドン、ラジウム等の天然放射性物質を含む温泉には、リューマチ等の老人性の病気を治癒する効能があるように、低線量の放射線には、人体に有益な刺激促進的作用（以下、「放射線ホルミシス効果」（Radiation hormesis）ともいう。）があることが報告されている。
【００１５】
そして、本考案者は、低線量放射線による放射線ホルミシス効果には、皮膚深層部に存在するアポクリン汗腺からの発汗を促し、体内脂肪に溶け込んでいる有害微量金属などの排出作用の点でも有効であることに着目し、本考案を完成させた。
【００１６】
また、空気中に、放電、強い光線、放射線等のエネルギーが放射されると、その周囲に気体イオンが発生することが知られている。気体イオンはプラスイオンとマイナスイオンがあるが、このうちマイナスイオンは人の気を静め、休息させる効果のあることが報告されている。前述した低線量放射線を放射する放射性物質も、マイナスイオンを発生させる物質の一つであるため、本考案によれば、温熱浴中に、マイナスイオンによる休息効果も得ることができる。
【００１７】
本考案のタイルの態様は、型枠の中に、放射性鉱物の粉末を練り込んだコンクリートを打ち込んで固めたそのままの状態の「打ち放し」のものでも良いし、放射性鉱物の粉末を練り込んだコンクリートの骨材に各種の種石を混ぜ、打ち上がったコンクリートの表面をたたくことで内部の種石を露出させる工法を用いた「たたき」のものであっても良い。後者の場合には、種石により、御影石のような風合いを出すことができる。また、本考案のタイルの態様は、放射性鉱物の粉末を練り込んだコンクリートの表面を水磨きすることにより、表面に光沢を出し、コンクリートでありながら本石に近い高級感を出すことができる「みがき」のものであっても良い。
【００１８】
また、本考案は、前記表層部の表面側に、前記タイルに換えて、あるいは、前記タイルと共に、低線量放射線とマイナスイオンを放出する機能性天然石の１種又は２種以上を含む板状の石材を露出させた構成であっても良い（本考案の第２の構成）。機能性天然石の一例としては、麦飯石、天寿石、貴陽石、真玉石、トルマリン鉱石などが挙げられる。この第２の構成においても、前述した第１の構成と同様の効果が得られる。
【００１９】
また、本考案では、前記パネルには、抗菌剤を含有させたカラー鋼板を用いることが、より望ましい（本考案の第３の構成）。このようにすれば、壁部にカビなどが発生するのを防止でき、浴室内を清潔に保てるからである。
【００２０】
また、本考案では、温熱層に用いるヒーターとして、２枚の絶縁防水保護層の間に、均熱板と、電極箔を挟み込んだ構成の面状発熱体を用いることが、より望ましい（本考案の第４の構成）。このようにすれば、厚みが嵩張らず、空間を広く利用できる上、両面が絶縁防水保護層であるため、耐久性の面でも優れているからである。
【００２１】
また、本考案では、前記部屋の壁面の内、パネルを設けない部位と、部屋の天井面に、珪藻土塗料を塗装することが、より望ましい（本考案の第５の構成）。珪藻土は、フィルターの役目を果たして体臭などを吸着する上、湿気の多いときは吸湿し、湿気の少ないときは放湿する効果などが得られ、浴室内の環境を良好にするからである。
【実施例】
【００２２】
以下、本考案の温熱浴用ユニットの実施例を、添付図面に基づいてさらに詳細に説明する。図１は、実施例の温熱浴用ユニットＵの縦断面を示した説明図である。
【００２３】
本考案の温熱浴用ユニットＵは、床部１と、壁部２とで構成され、部屋Ｈの中に、温熱浴設備を構築するためのユニットである。床部１は、部屋Ｈの床面に設置する断熱材１ａと、断熱材１ａの上方に設けられ、利用者が横たわって温熱浴を行う表層部１ｂと、表層部１ｂと断熱材１ａの間に設置され、表層部１ｂを、例えば４０〜４２℃の温度に温める温熱層１ｃとを有している。なお、１ｄは、温熱層１ｃを保護するためのゴムシートであり、１ｅは、モルタルを示している。
【００２４】
サイズの一例を挙げると、断熱材１ａの厚みは５ｃｍ、表層部１ｂの厚みは２ｃｍ、モルタル１ｅは１ｃｍ、ゴムシート１ｄは０．８ｃｍである。
【００２５】
壁部２は、部屋Ｈの壁面に取付ける断熱材２ａと、断熱材２ａの表面の一部に取付ける温熱層２ｂと、温熱層２ｂの表面に取付ける複数の板状のパネル２ｃとを有している。なお、２ｄは、温熱層２ｂを保護するゴムシートを示している。本実施例では、図１に示す通り、断熱材２ａは、部屋Ｈの壁面全域に設けて、浴室の保温性を高めているが、温熱層２ｂ、板状のパネル２ｃ、ゴムシート２ｄは、壁面の下方にのみ設けている。
【００２６】
また、表層部１ｂの表面側には、低線量放射線とマイナスイオンを放出する放射性鉱物の粉末を含有させたタイル１ｂａが敷設されている。なお、タイル１ｂａの形状は、図４（ａ）に示すような、正方形の平板のものや、（ｂ）に示すような、６角形状のものが利用できる。
【００２７】
このように、本考案では、床部１だけでなく、壁部２にも温熱層２ｂを設けたため、部屋Ｈ全体を均一に温めることにより、ゆっくりと身体を芯から温めて、新陳代謝を高めることができる。また、表層部１ｂの表面側に、低線量放射線とマイナスイオンを放出する放射性鉱物の粉末を含有させたタイル１ｂａを敷設したので、放射線ホルミシス効果によって、アポクリン汗腺からの発汗が促され、体内に蓄積された有害微量金属の排出効果も高めることができる。また、本考案によれば、温熱浴中に、マイナスイオンによる休息効果も得られるので、好適である。
【００２８】
また、本考案は、表層部１ｂの表面側に、タイル１ｂａに換えて、あるいは、タイル１ｂａと共に、低線量放射線とマイナスイオンを放出する貴陽石、真玉石、トルマリン鉱石などの機能性天然石を含む板状の石材を露出させた構成とすることもできる。この場合において、タイルと石材を併設するときは、平板のタイル１ｂａを中央に敷設し、その周りに石材をランダムに乱形に配置したり、細かな石材は玉石貼りにすることができる。
【００２９】
なお、図１の実施例では、板状のパネル２ｃに、抗菌剤を含有させたカラー鋼板を用いたので、壁部２に、カビなどが発生することを防止でき、浴室内を清潔に保つことができる。
【００３０】
図２は、図１の温熱層２ｂに用いるヒーターの構成を説明する図である。本実施例では、ヒーターとして、２枚の絶縁防水保護層２ｂａの間に、アルミテープからなる均熱板２ｂｂと、電極箔２ｂｃを挟み込んだ構成の面状発熱体を用いている。このような構成とすれば、ヒーターの厚みを１ｃｍ程度にできるので、厚みが嵩張らず、浴室の空間を広く利用できるからである。また、ヒーターの両面が絶縁防水保護層２ｂａで覆われており、耐久性の面でも優れているので、好適である。
【００３１】
なお、図１の温熱層１ｃについても、図２と同じ構成の面状発熱体を用いている。図３は、本実施例における面状発熱体の配置図である。幅３０００ｍｍ×長さ４０００ｍｍの床部１には、計１２枚の温熱層１ｃを取付ける。また、高さ９００ｍｍ×長さ３９００ｍｍ、高さ９００ｍｍ×幅２９００ｍｍ、高さ９００ｍｍ×幅１０００ｍｍの壁部２には、夫々３枚の温熱層２ｂを設ける。
【００３２】
なお、図３において、同じ模様の網掛け線、格子線、又は黒塗りの表示をしているヒーターは、同時にＯＮ−ＯＦＦが出来るように配電する。図３のような配置とすることにより、発熱量を１／２にしたり、左又は右半分のみを温めることも可能としている。
【００３３】
また、本実施例では、図１において、部屋Ｈの壁面の、板状のパネル２ｃを設けない部位と、部屋Ｈの天井面に、珪藻土塗料３を塗装している。珪藻土は、フィルターの役目を果たすため、体臭などを吸着する効果が得られるからである。また、湿気の多いときは吸湿し、湿気の少ないときは放湿する効果も得られるので、好適である。
【００３４】
以上説明したように、本考案の温熱浴用ユニットは、床部だけでなく、壁部にも温熱層を設けたため、部屋全体を均一に温めることにより、身体を徐々に芯から温めて、新陳代謝を高めることができる上、表層部の表面側に、低線量放射線とマイナスイオンを放出する放射性鉱物の粉末を含有させたタイルを敷設したので、放射線ホルミシス効果によってアポクリン汗腺からの発汗が促され、体内に蓄積された有害微量金属の排出効果も高めることができる。
【産業上の利用可能性】
【００３５】
本考案の温熱浴用ユニットは、実施例に示したサイズの部屋に限らず、数十名が同時に利用できるような大型の温熱浴施設にも適用できる。
【図面の簡単な説明】
【００３６】
【図１】本考案の温熱浴用ユニットの縦断面を示した説明図である。
【図２】温熱層に用いるヒーターの構成を説明する図である。
【図３】本実施例における面状発熱体の配置図である。
【図４】表層部の表面側に敷設するタイルの形状を示したものであり、（ａ）は正方形の平板のタイル、（ｂ）は６角形状のタイルである。
【図５】従来の温熱浴用ベットの平面図である。
【図６】図５のベッドを複数設置した従来の温熱浴システムの平面図である。
【符号の説明】
【００３７】
Ｕ  温熱浴用ユニット
１  床部
１ａ  断熱材
１ｂ  表層部
１ｂａ  タイル
１ｃ  温熱層
２  壁部
２ａ  断熱材
２ｂ  温熱層
２ｂａ  絶縁防水保護層
２ｂｂ  均熱板
２ｂｃ  電極箔
２ｃ  パネル
３  珪藻土塗料
【図１】
0003121542.tif 000003
【図２】
0003121542.tif 000004
【図３】
0003121542.tif 000005
【図４】
0003121542.tif 000006
【図５】
0003121542.tif 000007
【図６】
0003121542.tif 000008